(57)【要約】【課題】同じ映像コンテンツを異なる映像コンテンツソースから得るような複数の視聴者間で当該同じ映像コンテンツを同期のとれたタイミングで視聴することを可能にする映像コンテンツ表示システムおよび映像表示装置を提供する。【解決手段】各映像コンテンツ毎に、それを提供することができる種々の映像コンテンツソースの種別を表すソースデータＳｄと、そのソースデータＳｄによって表される映像コンテンツソースを制御するための制御データＣｄとが配された映像コンテンツソーステーブル（１１２，１２２）を、自装置１１０側と相手方装置１２０側とでそれぞれ保有し、自装置側で視聴の対象とされた映像コンテンツに対応する映像コンテンツソースとその制御シーケンスのデータを相手方装置においてシステムコントローラがコンテンツソーステーブル１２２を参照することによって認識し、同じ映像コンテンツを同期再生する。【選択図】図１
2008042516.tif 000002
【特許請求の範囲】
【請求項１】
それぞれ自装置のシステムコントローラの制御下で映像コンテンツを表示するタイミングが計られるように構成された複数の映像表示装置が、該複数の映像表示装置間で同一の映像コンテンツに関する表示のタイミングの同期をとるための共通の同期信号が該各自装置のシステムコントローラに供給されるようにして設置された映像コンテンツ表示システムであって、
前記複数の各映像表示装置は、同一の映像コンテンツに対応する複数のソースの種別を表すソースデータと該複数の種別のソース毎の制御手順を表す制御データとが配されたコンテンツソーステーブルを所定のメモリ部にそれぞれ保有し、各自装置のシステムコントローラは前記コンテンツソーステーブルを参照して、同一の映像コンテンツをそれぞれ自装置の現在時点での作動条件にそれぞれ適合した異なるものであることが許容されるソースから各別に取得して前記同期信号によって同期したタイミングで各所定の表示部に表示することが可能に構成されていることを特徴とする映像コンテンツ表示システム。
【請求項２】
前記コンテンツソーステーブルは、前記ソースデータとして、前記映像表示装置の現在時点での作動条件である設置地域毎に各別の映像コンテンツを受信するにそれぞれ適合する選局状態を表すデータと該選局に適合する型式の各放送受信用のチューナおよびセットトップボックス並びに録画再生装置の何れかを各特定可能にするデータを保有し、且つ、前記制御データとして、前記ソースデータによって特定される型式の各放送受信用のチューナおよびセットトップボックス並びに録画再生装置の何れかを前記作動条件の下で各別の映像コンテンツの選択的視聴にそれぞれ適合するように作動させるためのシーケンスを実行する制御手順を表すデータを保有して構成されていることを特徴とする請求項１に記載の映像コンテンツ表示システム。
【請求項３】
適用された表示部に映像コンテンツを表示するタイミングを計ると共に自装置各部を統括的に制御するシステムコントローラと、同一の映像コンテンツに対応する複数のソースの種別を各表すソースデータと該複数の各ソース毎の制御手順を表す制御データとが配されたコンテンツソーステーブルが参照可能に格納されたメモリ部と、を備え、前記システムコントローラは自装置に対応する他の映像表示装置との間で共通の所定の同期信号が供給されて同一の映像コンテンツに関する表示のタイミングの同期をとるための制御を実行するように構成されていることを特徴とする映像表示装置。
【請求項４】
前記コンテンツソーステーブルは、前記ソースデータとして、前記映像表示装置の現在時点での作動条件である設置地域毎に各別の映像コンテンツを受信するにそれぞれ適合する選局状態を表すデータと該選局に適合する型式の各放送受信用のチューナおよびセットトップボックス並びに録画再生装置の何れかを各特定可能にするデータを含むデータを保有し、且つ、前記制御データとして、前記ソースデータによって特定される型式の各放送受信用のチューナおよびセットトップボックス並びに録画再生装置の何れかを前記作動条件の下で各別の映像コンテンツの選択的視聴にそれぞれ適合するように作動させるためのシーケンスを実行する制御手順を表すデータを保有して構成されていることを特徴とする請求項３に記載の映像表示装置。
【請求項５】
前記システムコントローラは、ＶｏＩＰサービスシステムに接続可能に構成され、該ＶｏＩＰサービスシステムを通して自装置のユーザと該自装置に対応する前記他の映像表示装置のユーザとの間で通話が可能であることを特徴とする請求項３に記載の映像表示装置。
【請求項６】
前記システムコントローラは、前記他の映像表示装置との間で共通の所定の同期信号としてＮＴＰデータによる信号がＩＰ網から供給されるように構成されていることを特徴と
する請求項３に記載の映像表示装置。
【請求項７】
前記システムコントローラは、前記他の映像表示装置側から該他の映像表示装置で視聴中の映像コンテンツを表すデータを伝送路を介して取得し、該取得されたデータに依拠して前記コンテンツソーステーブルを参照することによって該他の映像表示装置で視聴中の映像コンテンツに対応する当該ソースデータと制御データとを特定し、該特定されたソースデータと制御データとに基づいて当該他の映像表示装置で視聴中の映像コンテンツを自装置側で同期のとれたタイミングで視聴可能に制御することを特徴とする請求項３に記載の映像表示装置。
【請求項８】
前記伝送路として当該他の映像表示装置を構成する携帯情報端末が利用する携帯電話における伝送路が適用されたことを特徴とする請求項７に記載の映像表示装置。
【発明の詳細な説明】
【技術分野】
【０００１】
本発明は、異なる地点でそれぞれの地点に居る各視聴者が同じ映像コンテンツを異なる映像コンテンツソースから取得して同時に視聴することを可能にする映像コンテンツ表示システムおよびこのシステムに適合する映像表示装置に関する。
【背景技術】
【０００２】
近年、映像配信サーバから複数のクライアント端末が同じ映像コンテンツを受信し、この同期サーバによる制御下で各クライアント端末が同じ映像コンテンツを互いに同期して再生し視聴することを可能にする映像コンテンツ再生システムが提案されている。
この提案では、同じ映像コンテンツを再生する複数のクライアント端末からなるグループを管理するクライアント管理手段と、このグループ内のすべてのクライアント端末からバッファリング完了通知があったとき各クライアント端末に映像コンテンツの再生開始を指示する再生制御手段とを備えた同期サーバと、映像配信サーバから同じ映像コンテンツを受信してバッファリングし、所定のデータ量のバッファリング完了を検出して同期サーバに通知するバッファリング監視手段と、同期サーバからの再生開始の指示に応じてバッファリングした映像コンテンツを再生する映像再生手段とをそれぞれ備えた複数のクライアント端末とを含んで映像コンテンツ再生システムが構成されている。
【０００３】
更に、上述において、同期サーバとクライアント端末に互いの時刻を同期させる時刻調整手段をそれぞれ備えると共に、同期サーバにクライアント端末との通信遅延時間を測定する通信遅延管理手段を備え、再生制御手段は、映像コンテンツの再生開始を指示する際、この通信遅延管理手段により測定された通信遅延時間で補正した再生開始時刻を通知するようにして各個のクライアント端末での同じ映像コンテンツの同期したタイミングでの視聴が可能に構成されている（特許文献１参照）。
【０００４】
また、遠隔地にいる話者が同一のコンテンツを視聴でき、かつ、コンテンツの映像上の任意の位置を指示できるようにするべく、自装置および自装置に対応する他の情報処理装置間で同一のコンテンツデータを同期再生する再生手段と、ユーザを撮影して得られた第１映像を入力する入力手段と、他の情報処理装置からネットワークを介して送信された、他の情報処理装置のユーザの映像である第２映像を受信する受信手段と、第１または第２映像のうちの少なくとも一方から、ユーザが任意の位置を指し示すポインタを抽出する抽出手段と、再生手段によって同期再生されたコンテンツデータの映像に、抽出手段によって抽出されたポインタを合成する合成手段とを含んでシステムを構築するといった提案もなされている（特許文献２参照）。
【０００５】
尚、マルチチャンネル放送を視聴するに際して、映像コンテンツを同期再生することに関しては、上記各特許文献よりも以前に提案がなされている（特許文献３参照）。
【特許文献１】特開２００５−２９４９４１号公報（段落０００７〜段落０００９、図１）
【特許文献２】特開２００６−４１８８４号公報（段落０００８〜段落００１３、図１）
【特許文献３】特開２００２−３００５４４号公報（段落００１８〜段落００２０、図１）
【発明の開示】
【発明が解決しようとする課題】
【０００６】
しかしながら、上述の既提案の技術では、地上放送、衛星放送、ＨＤＤ，ＤＶＤその他
の録画再生装置等々、近年著しく多様化している映像コンテンツソースの何れのものからの映像コンテンツであっても同期再生を行うことを可能ならしめようとする技術課題には言及されておらず、当然ながら、そのような技術課題の解決手段については示唆すらもなされていない。
【０００７】
本発明はこのような状況に鑑みてなされたものであり、同じ映像コンテンツを異なる映像コンテンツソースから得るような複数の視聴者間で当該同じ映像コンテンツを同期のとれたタイミングで視聴することを可能にする映像コンテンツ表示システムおよび映像表示装置を提供することを目的とする。
【課題を解決するための手段】
【０００８】
上記課題を解決するべく、本願では次に列記するような技術を提案する。
（１）それぞれ自装置のシステムコントローラの制御下で映像コンテンツを表示するタイミングが計られるように構成された複数の映像表示装置が、該複数の映像表示装置間で同一の映像コンテンツに関する表示のタイミングの同期をとるための共通の同期信号が該各自装置のシステムコントローラに供給されるようにして設置された映像コンテンツ表示システムであって、
前記複数の各映像表示装置は、同一の映像コンテンツに対応する複数のソースの種別を表すソースデータと該複数の種別のソース毎の制御手順を表す制御データとが配されたコンテンツソーステーブルを所定のメモリ部にそれぞれ保有し、各自装置のシステムコントローラは前記コンテンツソーステーブルを参照して、同一の映像コンテンツをそれぞれ自装置の現在時点での作動条件にそれぞれ適合した異なるものであることが許容されるソースから各別に取得して前記同期信号によって同期したタイミングで各所定の表示部に表示することが可能に構成されていることを特徴とする映像コンテンツ表示システム。
【０００９】
上記（１）の映像コンテンツ表示システムでは、自装置のシステムコントローラの制御下で映像コンテンツを表示するタイミングが計られるように構成された映像表示装置を複数台、これら複数の映像表示装置間で同一の映像コンテンツに関する表示のタイミングの同期をとるための共通の同期信号が該各自装置のシステムコントローラに供給されて連携動作可能なように設置される。
【００１０】
この場合、これら複数の各映像表示装置は、同一の映像コンテンツに対応する複数のソースの種別を表すソースデータと該複数の種別のソース毎の制御手順を表す制御データとが配されたコンテンツソーステーブルを所定のメモリ部にそれぞれ保有し、各自装置のシステムコントローラは前記コンテンツソーステーブルを参照して、同一の映像コンテンツをそれぞれ自装置の現在時点での作動条件（例えば、当該装置の設置地域であり、このような条件に応じて、同一の映像コンテンツであっても異なるチャンネル番号の放送から取得される）にそれぞれ適合した異なるものであることが許容されるソースから各別に取得して前記同期信号によって同期したタイミングで各所定の表示部に表示することが可能である。
【００１１】
（２）前記コンテンツソーステーブルは、前記ソースデータとして、前記映像表示装置の現在時点での作動条件である設置地域毎に各別の映像コンテンツを受信するにそれぞれ適合する選局状態を表すデータと該選局に適合する型式の各放送受信用のチューナおよびセットトップボックス並びに録画再生装置の何れかを各特定可能にするデータを含むデータを保有し、且つ、前記制御データとして、前記ソースデータによって特定される型式の各放送受信用のチューナおよびセットトップボックス並びに録画再生装置の何れかを前記作動条件の下で各別の映像コンテンツの選択的視聴にそれぞれ適合するように作動させるためのシーケンスを実行する制御手順を表すデータを保有して構成されていることを特徴とする（１）の映像コンテンツ表示システム。
【００１２】
上記（２）の映像コンテンツ表示システムでは、（１）の映像コンテンツ表示システムにおいて特に、各映像表示装置のメモリに準備されているコンテンツソーステーブルは、ソースデータとして、映像表示装置の現在時点での作動条件である設置地域毎に各別の映像コンテンツを受信するにそれぞれ適合する選局状態を表すデータと該選局に適合する型式の各放送受信用のチューナおよびセットトップボックス並びに録画再生装置の何れかを各特定可能にするデータを保有しており、且つ、制御データとして、ソースデータによって特定される型式の各放送受信用のチューナおよびセットトップボックス並びに録画再生装置の何れかを、当該映像表示装置の現在時点での作動条件の下で、各別の映像コンテンツの選択的視聴にそれぞれ適合するように作動させるためのシーケンスを実行する制御手順を表すデータを保有している。
【００１３】
従って、システムコントローラは、コンテンツソーステーブルに用意されたこのようなソースデータを参照して、当該映像表示装置が設置された地域に応じて、同じ映像コンテンツを放送から取得する場合には何れの放送波からか（電波の周波数、或いは、ケーブルテレビジョン放送の種別）或いは、録画再生装置から取得する場合は何れの装置（その何れの記憶部）からかといった情報を識別し、更に、制御データを参照して、それらの放送波を受信し或いは録画再生装置を作動させるためのシーケンスを実行する。
【００１４】
（３）適用された表示部に映像コンテンツを表示するタイミングを計ると共に自装置各部を統括的に制御するシステムコントローラと、同一の映像コンテンツに対応する複数のソースの種別を各表すソースデータと該複数の各ソース毎の制御手順を表す制御データとが配されたコンテンツソーステーブルが参照可能に格納されたメモリ部と、を備え、前記システムコントローラは自装置に対応する他の映像表示装置との間で共通の所定の同期信号が供給されて同一の映像コンテンツに関する表示のタイミングの同期をとるための制御を実行するように構成されていることを特徴とする映像表示装置。
【００１５】
上記（３）の映像表示装置では、同一の映像コンテンツに対応する複数のソースの種別を表すソースデータと該複数の種別のソース毎の制御手順を表す制御データとが配されたコンテンツソーステーブルを所定のメモリ部にそれぞれ保有し、各自装置のシステムコントローラは前記コンテンツソーステーブルを参照して、同一の映像コンテンツをそれぞれ自装置の現在時点での作動条件（例えば、当該装置の設置地域であり、このような条件に応じて、同一の映像コンテンツであっても異なるチャンネル番号の放送から取得される）にそれぞれ適合した異なるものであることが許容されるソースから各別に取得して前記同期信号によって同期したタイミングで各所定の表示部に表示することが可能である。
【００１６】
（４）前記コンテンツソーステーブルは、前記ソースデータとして、前記映像表示装置の現在時点での作動条件である設置地域毎に各別の映像コンテンツを受信するにそれぞれ適合する選局状態を表すデータと該選局に適合する型式の各放送受信用のチューナおよびセットトップボックス並びに録画再生装置の何れかを各特定可能にするデータを含むデータを保有し、且つ、前記制御データとして、前記ソースデータによって特定される型式の各放送受信用のチューナおよびセットトップボックス並びに録画再生装置の何れかを前記作動条件の下で各別の映像コンテンツの選択的視聴にそれぞれ適合するように作動させるためのシーケンスを実行する制御手順を表すデータを保有して構成されていることを特徴とする（３）の映像表示装置。
【００１７】
上記（４）の映像表示装置では、（３）の映像表示装置において特に、各映像表示装置のメモリに準備されているコンテンツソーステーブルは、ソースデータとして、映像表示装置の現在時点での作動条件である設置地域毎に各別の映像コンテンツを受信するにそれぞれ適合する選局状態を表すデータと該選局に適合する型式の各放送受信用のチューナお
よびセットトップボックス並びに録画再生装置の何れかを各特定可能にするデータを保有しており、且つ、制御データとして、ソースデータによって特定される型式の各放送受信用のチューナおよびセットトップボックス並びに録画再生装置の何れかを、当該映像表示装置の現在時点での作動条件の下で、各別の映像コンテンツの選択的視聴にそれぞれ適合するように作動させるためのシーケンスを実行する制御手順を表すデータを保有している。
【００１８】
従って、システムコントローラは、コンテンツソーステーブルに用意されたこのようなソースデータを参照して、当該映像表示装置が設置された地域に応じて、同じ映像コンテンツを放送から取得する場合には何れの放送波か（電波の周波数、或いは、ケーブルテレビジョン放送の種別）或いは、録画再生装置から取得する場合は何れの装置（その何れの記憶部）かといった情報を識別し、更に、制御データを参照して、それらの放送波を受信し或いは録画再生装置を作動させるためのシーケンスを実行する。
【００１９】
（５）前記システムコントローラは、ＶｏＩＰサービスシステムに接続可能に構成され、該ＶｏＩＰサービスシステムを通して自装置のユーザと該自装置に対応する前記他の映像表示装置のユーザとの間で通話が可能であることを特徴とする（３）の映像表示装置。
上記（５）の映像表示装置では、（３）の映像表示装置において特に、システムコントローラは、ＶｏＩＰサービスシステムに接続可能に構成され、該ＶｏＩＰサービスシステムを通して自装置のユーザと該自装置に対応する前記他の映像表示装置のユーザとの間で通話が可能であるため、各ユーザは、たとえ相互に遠隔の地に居たとしても同じ映像コンテンツの同じシーンを同期がとれたタイミングで視聴しつつ相互に通話して共感を覚えるといったことも可能になる。
【００２０】
（６）前記システムコントローラは、前記他の映像表示装置との間で共通の所定の同期信号としてＮＴＰデータによる信号がＩＰ網から供給されるように構成されていることを特徴とする（３）の映像表示装置。
上記（６）の映像表示装置では、（３）の映像表示装置において特に、システムコントローラは、前記他の映像表示装置との間で共通の所定の同期信号としてＮＴＰデータによる信号がＩＰ網から供給されるように構成されているため、該当するユーザの映像表示装置がたとえ相互に遠隔の地に離れて存在している場合であっても、ＩＰ網から供給されるＮＴＰデータによる信号によって容易に且つ確実に同期した映像コンテンツの視聴を行うことができる。
【００２１】
（７）前記システムコントローラは、前記他の映像表示装置側から該他の映像表示装置で視聴中の映像コンテンツを表すデータを伝送路を介して取得し、該取得されたデータに依拠して前記コンテンツソーステーブルを参照することによって該他の映像表示装置で視聴中の映像コンテンツに対応する当該ソースデータと制御データとを特定し、該特定されたソースデータと制御データとに基づいて当該他の映像表示装置で視聴中の映像コンテンツを自装置側で同期のとれたタイミングで視聴可能に制御することを特徴とする（３）の映像表示装置。
【００２２】
上記（７）の映像表示装置では、（３）の映像表示装置において特に、システムコントローラは、自装置に対応する他の映像表示装置側から該他の映像表示装置で視聴中の映像コンテンツを表すデータを（例えば、電子メール等の）伝送路を介して取得し、該取得されたデータに依拠してコンテンツソーステーブルを参照することによって該他の映像表示装置で視聴中の映像コンテンツに対応する当該ソースデータと制御データとを特定し、該特定されたソースデータと制御データとに基づいて当該他の映像表示装置で視聴中の映像コンテンツを自装置側で同期のとれたタイミングで視聴可能に制御する。
このため、一方のユーザで興味を持った映像コンテンツを特定するデータを他方のユー
ザに伝えれば、これ以降、双方のユーザ間で同じ映像コンテンツを同期したタイミングで視聴するといったことが可能になる。
【００２３】
（８）前記伝送路として当該他の映像表示装置を構成する携帯情報端末が利用する携帯電話における伝送路が適用されたことを特徴とする（７）の映像表示装置。
上記（８）の映像表示装置では、（７）の映像表示装置において特に、所謂ワンセグのような携帯情報端末で、或る映像コンテンツに興味を覚えた一方のユーザが、携帯電話を通して映像コンテンツを特定するデータを他方のユーザに伝えれば、これ以降、双方のユーザ間で同じ映像コンテンツを同期したタイミングで視聴するといったことが可能になる。
【発明を実施するための最良の形態】
【００２４】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の映像コンテンツ表示システムの一つの実施の形態を表す概念図である。
図１において、説明の便宜上、この映像コンテンツ表示システム１０は第１の映像表示装置１１０および第２の映像表示装置１２０を含んで構成され、これら映像表示装置１１０および１２０は、図１では表されない双方の装置内のシステムコントローラによって映像コンテンツをそれぞれの映像の表示器１１１および１２１に表示するタイミングが計られるように構成されている。
【００２５】
また、象徴的に図示されているように、映像の表示器１１１に映像コンテンツの信号を供給する映像コンテンツソースとしての各放送受信用のチューナ１１３およびセットトップボックス１１４並びに例えばＨＤＤやＤＶＤ或いはこれらの双方であり得る録画再生装置１１５が共通のラックＲ１に備えられている。
映像の表示器１２１についても同様に、この表示器１２１に映像コンテンツの信号を供給する映像コンテンツソースとしての各放送受信用のチューナ１２３およびセットトップボックス１２４並びに例えばＨＤＤやＤＶＤ或いはこれらの双方の機能を搭載した録画再生装置１２５が共通のラックＲ２に備えられている。
【００２６】
更に、第１の映像表示装置１１０は、ＶｏＩＰサービスシステムを通して自装置１１０のユーザと該自装置１１０に対応する他の映像表示装置１２０のユーザとの間での通話を可能にするヘッドセットＨＳ１が接続されるように構成されている。
同様に、第２の映像表示装置１２０も、ＶｏＩＰサービスシステムを通して自装置１２０のユーザと該自装置１２０に対応する他の映像表示装置１１０のユーザとの間での通話を可能にするヘッドセットＨＳ２が接続されるように構成されている。
【００２７】
第１の映像表示装置１１０および第２の映像表示装置１２０は、通常のこの種の装置におけると同様に、各対応するリモートコントローラＲＣ１およびＲＣ２によって、それら自体と上述の各映像コンテンツソースである機器とが遠隔操作可能に構成されている。
また、本実施の形態では特に、双方の装置１１０および１２０は、両者間で同一の映像コンテンツに関する表示のタイミングの同期をとるための共通の同期信号ＳＳとしてのＮＴＰデータによる信号が、ＩＰ網４００からそれぞれ供給されて、連携動作可能なように設置される。
【００２８】
更に、第１の映像表示装置１１０および第２の映像表示装置１２０には、象徴的に図示された各対応するコンテンツソーステーブル１１２および１２２が参照可能なように設けられている。
コンテンツソーステーブル１１２および１２２は、同一の映像コンテンツに対応する複数のソースの種別を表すソースデータＳｄと該複数の種別のソース毎の制御手順を表す制御データＣｄとが配されて構成されている。
【００２９】
更に、詳細には、コンテンツソーステーブル１１２および１２２は、ソースデータＳｄとして、映像表示装置１１０および１２０の現在時点での作動条件である設置地域毎に各別の映像コンテンツを受信するにそれぞれ適合する選局状態を表すデータと該選局に適合する型式の各放送受信用のチューナ（１１３，１２３）およびセットトップボックス（１１４，１２４）並びに録画再生装置（１１５，１２５）の何れかを各特定可能にするデータを含むデータを保有し、且つ、制御データＣｄとして、ソースデータＳｄによって特定される型式の各放送受信用のチューナ（１１３，１２３）およびセットトップボックス（１１４，１２４）並びに録画再生装置（１１５，１２５）の何れかを上述の設置地域等に応じた作動条件の下で各別の映像コンテンツの選択的視聴にそれぞれ適合するように作動させるためのシーケンスを実行する制御手順を表すデータを保有して構成されている。
【００３０】
図２は、図１の映像コンテンツ表示システムに適合する映像表示装置２００（第１の映像表示装置１１０、第２の映像表示装置１２０等と同様の構成を有するもの）の構成を表すブロック図である。
図２の映像表示装置２００はデジタル放送受信機として具現されている。アンテナ２０１で受信された放送波は復調・フィルタリング部２０２で復調され、トランスポートストリームが抽出され、視聴者（ユーザ）による選局に応じた映像及び音声並びに番組情報を取得するためのフィルタリングが行われる。復調・フィルタリング部２０１は図１を参照して説明したチューナ１１３（１２３）に相応するものであって、その映像出力は映像処理部２０３に供給され、音声出力は音声処理部２０４に供給され、番組情報はＯＳＤ部２０５に供給される。尚、音声出力の音声処理部２０４への供給系統については後に詳述する。
【００３１】
映像処理部２０３の出力にはＯＳＤ部２０５からの出力が重畳され、このような番組情報が重畳された映像信号により表示器２０６に映像が映出されるが、表示器２０６の前段には映像処理部２０３（チューナ出力）の他にＰＶＲ（Personal Video Recorder）３０
０、ＤＶＤ３１０、ＨＤＤ３２０、セットトップボックス（ＳＴＢ）３３０等のような種々の映像コンテンツソース（図１を参照して説明した録画再生装置１１５，１２５に相応する）の出力のうちの何れか一のものを選択的に表示器２０６に供給する入力切換部２１０が介在している。この入力切換部２１０の出力を表示器２０６に供給する系統については後に詳述する。
【００３２】
ＯＳＤ部２０５の出力に基づいて表示器２０６（図１を参照して説明した表示器１１１，１２１に相応する）の画面上に番組情報やその他の情報が映像に重畳するようにして、或いは、画面内の一画を占めるようにして表示される。
一方、復調・フィルタリング部２０２からの音声信号を処理する音声処理部２０４の出力は増幅器２０７を介して対応するスピーカ２０８に供給されて、ステレオ音声が発音される。このようにステレオ音声が発音されるために増幅器２０７及びスピーカ２０８は左チャンネルと右チャンネルとの２系統が用意されているが、図２では便宜的に、両系統を一まとめにして表現してある。
【００３３】
復調・フィルタリング部２０２、音声処理部２０４、ＯＳＤ部２０５、及び、入力切換部２１０を含むデジタル放送受信機１１０の系全体を統括的に制御するマイクロプロセッサを主要な構成要素として含むシステムコントローラ２２０が設けられている。
このシステムコントローラ２２０には視聴者（ユーザ）による操作を受け付ける操作キー等を含んで構成される操作部２２１の出力が供給されるようになされ、また、メモリ２
３０がアクセス可能に接続されて所要のタイミングでデータ（情報）の格納と読み出しが実行される。このメモリ２３０内に、既述のコンテンツソーステーブル２４０（図１のコンテンツソーステーブル１１２および１２２に相応する）が格納されている。
【００３４】
一方、図１を参照して既述のリモートコントローラ（ＲＣ１，ＲＣ２）からのリモートコントロール信号を受けるように設けられたリモートコントロール信号受信部２２２の出力が、システムコントローラ２２０における取り扱いに適合した信号に変換するリモートコントロール信号デコード部２２３を介してシステムコントローラ２２０に供給されるように接続されている。
【００３５】
システムコントローラ２２０はその各該当する機能部の働きによって本発明の枢要な構成要件としての各手段乃至それを構成する部分として機能するようになされている。
一方、ユーザによる操作部２２１に対する映像情報源を選択するための操作、或いは、遠隔操作に基づいてリモートコントロール信号受信部２２２で受けた映像情報源を選択する信号に応じて、システムコントローラ２２０から入力切換部２１０に与えられる指令に応じて、この入力切換部２１０が表示器２０６に供給する映像情報源（映像コンテンツソース）を選択する。
【００３６】
このような映像情報源の選択によって、映像処理部の出力（チューナ出力）、又は、ＰＶＲ３００、ＤＶＤ３１０、ＨＤＤ３２０等からの再生出力がユーザの任意に応じて選択されて表示器２０６に供給され映像が映出されることになる。
このデジタル放送受信機２００（そのシステムコントローラ２２０）は、現在時点で表示器２０６に映出されている映像の情報源、即ち、映像コンテンツソースを常時認識している。
【００３７】
更に、システムコントローラ２２０には、この種の映像機器において通常の仕様とされるＩＰ網４００との接続を可能にするためのＩＰ網インターフェース部２５０が接続されている。本例のデジタル放送受信機２００は、このＩＰ網インターフェース部２５０を通してＩＰ網４００と、従って、ＩＰ網４００を介してサーバ４５０のような情報源と結ばれて広範囲に情報の授受を行うことが可能である。
【００３８】
尚、本実施の形態では、ＩＰ網インターフェース部２５０に図１を参照して説明したヘッドセット（ＨＳ１，ＨＳ２）を接続してＶｏＩＰサービスシステムを通して相手方の機器であるデジタル放送受信機２００ａ側との通話を可能にするためのヘッドセット接続端子２５１が設けられている。
更にまた、近年急速に普及の兆しが明らかになりつつある所謂ホーム・ネットワークでデジタルＡＶ機器同士やパーソナルコンピュータを相互に接続し、動画、音楽、静止画等のデータを相互利用する仕様に係るＤＬＮＡ（Digital Living Network Alliance）所定
のガイドラインに準拠した通信方式でＰＶＲ等の外部機器との接続を行うためのＤＬＮＡインターフェース部２５２もシステムコントローラ２２０に接続されている。
【００３９】
図示の例では、このＤＬＮＡインターフェース部２５２には、ＰＶＲ３００、ＤＶＤ３１０、ＨＤＤ３２０等の映像コンテンツソースがその操作に係る制御信号の供給を受けるように接続され、更に、パーソナルコンピュータ３２１が、ＩＰ網４００を通して特定の映像コンテンツソースにアクセスする手順に係る情報の供給を受けるように接続されている。
【００４０】
また、ＳＴＢ３３０（図１のセットトップボックス１１４，１２４に相応する）もシステムコントローラ２２０と結ばれてシステムコントローラ２２０の制御下で動作するように構成され、このＳＴＢ３３０の出力も入力切換部２１０によって選択的に切換えられて
表示器２０６に供給される。即ち、ＳＴＢ３３０も既述の映像コンテンツソースのうちの一のものに該当する。
【００４１】
以上の構成において、本実施の形態では特に、映像コンテンツソースとしての、復調・フィルタリング部２０１（直接には、その後段の映像処理部２０３でありチューナの出力段に相応）、ＰＶＲ３００、ＤＶＤ３１０、ＨＤＤ３２０、および、ＳＴＢ３３０、更には、ＩＰ網インターフェース部２５１を通してＩＰ網４００から所謂ＩＰ系映像コンテンツを取得するシステムコントローラ２２０等の各出力は、入力切換部２１０にそれぞれ供給され、この入力切換部２１０でそれらのうちの一のものが選択されて時間軸調整部２６０を介して表示器２０６に供給されるように構成されている。
【００４２】
時間軸調整部２６０は、入力映像信号に対し、システムコントローラ２２０からの制御信号に応じた遅延を与える等して時間軸の調整を行った上、調整された出力信号を表示器２０６に供給する。このような時間軸の調整によって、本デジタル放送受信機２００と相手方のデジタル放送受信機２００ａとにおける映像コンテンツの表示のタイミングは双方で同期がとれたものとなる。
【００４３】
より厳密には、本発明では、同一の映像コンテンツを、その内容（各シーン）の進展のタイミングにおいて適切な同期関係が確立することを要するが、この同期は、一般にデジタル映像コンテンツの各画像に附されている「フレーム番号」を逐次指定する事によって実現される。
システムコントローラ２２０には、ＩＰ網４００からＩＰ網インターフェース部２５０を通して双方のデジタル放送受信機２００および２００ａが両者間で同一の映像コンテンツに関する表示のタイミングの同期をとるための共通の同期信号ＳＳとしてのＮＴＰデータによる信号が、ＩＰ網４００から供給されて、上述のように時間軸調整部２６０の動作を制御する。より厳密には、当該デジタル放送受信機１１０の設置位置をＧＰＳによって取得し、絶対時刻（ＵＴＣ）を取得する。
【００４４】
一方、音声信号についても同様に、上述の復調・フィルタリング部２０１からの音声出力が、時間軸調整部２６０を介して、音声処理部２０４に供給されるように構成されて、映像コンテンツの表示に合わせた時間軸調整が行われる。
尚、ＰＶＲ３００、ＤＶＤ３１０、ＨＤＤ３２０の再生出力に関する時間軸調整については、上述のような時間軸調整部２６０を介して常時調整を行う他、次のような方法を採ることもできる。
【００４５】
即ち、システムコントローラ２２０から起動のタイミングを規定する指令（従って、ＮＴＰデータに基づく信号）をＤＬＮＡインターフェース部２５２を介して供給することによって、起動の当初に双方のデジタル放送受信機２００および２００ａ間で映像コンテンツ再生のタイミングに関する同期を確立すれば、これ以降は、各機（ＰＶＲ３００、ＤＶＤ３１０、ＨＤＤ３２０）自体が高精度のクロックによって作動するため、実用上支障のない精度で再生同期を実現することができる。
【００４６】
他方、本例のデジタル放送受信機１１０は、ＩＰ網インターフェース部２５０を通してＩＰ網４００と結ばれているため、システムコントローラ２２０は、自装置に対応する他の映像表示装置２００ａ側から該他の映像表示装置２００ａで視聴中の映像コンテンツを表すデータをＩＰ網４００を通して取得し、該取得されたデータに依拠してコンテンツソーステーブル２４０を参照することによって該他の映像表示装置２００ａで視聴中の映像コンテンツに対応する当該ソースデータＳｄと制御データＣｄとを特定し、該特定されたソースデータＳｄと制御データＣｄとに基づいて当該他の映像表示装置２００ａで視聴中の映像コンテンツを自装置２００側で同期のとれたタイミングで視聴可能に制御する。
【００４７】
このため、一方（２００ａ）のユーザで興味を持った映像コンテンツを他方のユーザに伝えれば、これ以降、双方のユーザ間で同じ映像コンテンツを同期したタイミングで視聴するといったことが可能になる。
また、所謂ワンセグのような携帯情報端末で、或る映像コンテンツに興味を覚えた一方のユーザが、携帯電話を通して映像コンテンツを他方のユーザに伝えれば、これ以降、双方のユーザ間で同じ映像コンテンツを同期したタイミングで視聴するといったことが可能になる。
【００４８】
以上に説明した本発明の実施の形態における作用は、より一般的に要約すれば、次の通りである。
即ち、複数の各映像表示装置（１１０，１２０；２００，２００ａ）は、同一の映像コンテンツに対応する複数のソース（チューナに相応する復調・フィルタリング部２０１、ＰＶＲ３００、ＤＶＤ３１０、ＨＤＤ３２０、および、ＳＴＢ３３０）の種別を表すソースデータと該複数の種別のソース毎の制御手順を表す制御データとが配されたコンテンツソーステーブル（１１２，１２２；２４０）を所定のメモリ部（２３０）にそれぞれ保有し、各自装置のシステムコントローラ２２０はコンテンツソーステーブルを参照して、同一の映像コンテンツをそれぞれ自装置の現在時点での作動条件（例えば、当該装置の設置地域であり、このような条件に応じて、同一の映像コンテンツであっても異なるチャンネル番号の放送から取得される）にそれぞれ適合した異なるものであることが許容されるソースから各別に取得して同期信号ＳＳによって同期したタイミングで各所定の表示部（１１１，１２１；２０６）に表示することが可能である。
【００４９】
また、各映像表示装置（１１０，１２０；２００，２００ａ）のメモリ（２３０）に準備されているコンテンツソーステーブル（１１２，１２２；２４０）は、ソースデータＳｄとして、映像表示装置の現在時点での作動条件である設置地域毎に各別の映像コンテンツを受信するにそれぞれ適合する選局状態を表すデータと該選局に適合する型式の各放送受信用のチューナ（２０１）およびセットトップボックス（３３０）並びに録画再生装置（３００，３１０，３２０）の何れかを各特定可能にするデータを保有しており、且つ、制御データＣｄとして、ソースデータＳｄによって特定される型式の各放送受信用のチューナおよびセットトップボックス並びに録画再生装置の何れかを、当該映像表示装置の現在時点での作動条件の下で、各別の映像コンテンツの選択的視聴にそれぞれ適合するように作動させるためのシーケンスを実行する制御手順を表すデータを保有している。
【００５０】
従って、システムコントローラ（２２０）は、コンテンツソーステーブル（１１２，１２２；２４０）に用意されたこのようなソースデータを参照して、当該映像表示装置（１１０，１２０；２００，２００ａ）が設置された地域に応じて、同じ映像コンテンツを放送から取得する場合には何れの放送波からか（電波の周波数、或いは、ケーブルテレビジョン放送の種別）或いは、録画再生装置（３００，３１０，３２０）から取得する場合は何れの装置（その何れの記憶部）からかといった情報を識別し、更に、制御データを参照して、それらの放送波を受信し或いは録画再生装置を作動させるためのシーケンスを実行する。
【００５１】
更にまた、システムコントローラ（２２０）は、ＶｏＩＰサービスシステムに接続可能に構成され、該ＶｏＩＰサービスシステムを通して自装置（２００）のユーザと該自装置（２００）に対応する他の映像表示装置（２００ａ）のユーザとの間で通話が可能であるため、各ユーザは、たとえ相互に遠隔の地に居たとしても同じ映像コンテンツの同じシーンを同期がとれたタイミングで視聴しつつ相互に通話して共感を覚えるといったことも可能になる。
【００５２】
また、システムコントローラ（２２０）は、他の映像表示装置（２００ａ）との間で共通の所定の同期信号としてＮＴＰデータによる信号がＩＰ網から供給されるように構成されているため、該当するユーザの映像表示装置（２００ａ）がたとえ相互に遠隔の地に離れて存在している場合であっても、ＩＰ網から供給されるＮＴＰデータによる信号によって容易に且つ確実に同期した映像コンテンツの視聴を行うことができる。
【００５３】
以上説明した本実施の形態において、コンテンツソーステーブルは、同一の映像コンテンツを取得するための種々の方途を網羅的に集約したデータを保有するものであるため、このようなコンテンツソーステーブルを介在として、映像コンテンツを視聴することに関する多様な便宜を得ることが可能になる。
例えば、デジタル放送受信機２００のメモリ２３０に保有された上述のようなコンテンツソーステーブル２４０から、ＤＬＮＡインターフェース部２５２に接続されたパーソナルコンピュータ３２１に対し、ＩＰ網４００経由で特定の映像コンテンツを取得するための手順の情報を供給することによって、パーソナルコンピュータ３２１は、該供給された情報に従って作動し、所謂ＩＰ系の映像コンテンツの取得や、更には、そのコントロールも行うことができる。
【００５４】
更に、デジタル放送受信機の一方側は携帯情報端末であるように構成されたシステムでは、外出中に携帯情報端末側でコンテンツに付けた栞（＊＊後の得点シーン）で帰宅後に自宅のデジタル放送受信機で同じコンテンツを再生する時にもその栞を利用してコンテンツソーステーブルを参照してメタデータ検索を行い、同じコンテンツにアクセスする事が可能になる。
【００５５】
また、予め了解を得ることを前提とし、環境の異なる相手方の機器に同じコンテンツの視聴予約を自動設定するといったような場合、リモートコントローラによって、何時何分からＡ放送のB番組をC時間録画するといったコマンドシーケンスを該当機器に供給すると、環境（該当する機器の種別や型式等の構成）の差異に起因する現実のシーケンスの相違が、双方の当事者において共通のコンテンツソーステーブルによって補正される事により吸収（変換）され、言わば、翻訳されて、該当機器側で通用するようになる。
【図面の簡単な説明】
【００５６】
【図１】本発明の映像コンテンツ表示システムの一つの実施の形態を表す概念図である。
【図２】図１の映像コンテンツ表示システムに適合する映像表示装置の構成を表すブロック図である。
【符号の説明】
【００５７】
１０…映像コンテンツ表示システム  １１０…第１の映像表示装置  １１１…表示器  １１２…コンテンツソーステーブル  １１３…チューナ  １１４…セットトップボックス  １１５…録画再生装置  １２０…第２の映像表示装置  １２１…表示器  １２２…コンテンツソーステーブル  １２３…チューナ  １２４…セットトップボックス  １２５…録画再生装置  ２００，２００ａ…映像表示装置  ２０１…アンテナ  ２０２…復調・フィルタリング部  ２０３…映像処理部  ２０４…音声処理部  ２０５…ＯＳＤ部  ２０６…表示器  ２０７…増幅器  ２０８…スピーカ  ２１０…入力切換部  ２２０…システムコントローラ  ２２１…操作部  ２２２…リモートコントロール信号受信部  ２２３…リモートコントロール信号デコード部  ２３０…メモリ  ２４０…コンテンツソーステーブル  ２５０…ＩＰ網インターフェース部２５０  ２５１…ヘッドセット接続端子  ２５２…ＤＬＮＡインターフェース部  ３００…ＰＶＲ  ３１０…３１０  ３２０…ＨＤＤ  ３３０…セットトップボックス  ４００…ＩＰ網
【図１】
2008042516.tif 000003
【図２】
2008042516.tif 000004